【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
ディスクを保持するためにディスク面と直交する方向に積層配置した複数のトレイを含むディスク収納部と、
前記複数のトレイを支持する軸を有し、前記トレイを前記ディスク面と直交する方向に移動していずれか１つのトレイを選択位置に案内するエレベータ機構と、
前記トレイに対向して前記軸に回動自在に配置した複数の保持部材を有し、前記保持部材と前記トレイとの間で前記ディスクを保持するチャッキング機構と、
前記ディスクをディスク挿入口と前記ディスク収納部の保持位置との間で移送する移送ユニットと、
前記選択位置にあるディスクを回転駆動するターンテーブルを有する駆動ユニットと、
前記複数のトレイの中からターゲットトレイを選択し希望するディスクを駆動する際に、前記ターゲットトレイにおけるディスクの有無を判断し、ディスク有りと判断した場合に前記ディスクの駆動を実行する制御部と、を具備する収納型ディスク装置。
【請求項２】
前記制御部は、前記ディスク有りと判断した場合に前記ディスクの保持状態を解除し、前記駆動ユニットによって前記ディスクを回転駆動することを特徴とする請求項１記載の収納型ディスク装置。
【請求項３】
前記制御部は、前記チャッキング機構によるディスクの保持状態を検出し、前記ディスクが保持されている場合は、ディスク有りと判断することを特徴とする請求項２記載の収納型ディスク装置。
【請求項４】
前記制御部は、前記ディスクの保持が検出されない場合は、前記チャッキング機構により前記ディスクを保持状態にして前記ターンテーブルを回転させ、回転数が所定値以下の場合にはディスク有りと判断することを特徴とする請求項３記載の収納型ディスク装置。
【請求項５】
前記制御部は、前記ターンテーブルが空転した場合は、ディスク無しと判断することを特徴とする請求項４記載の収納型ディスク装置。
【請求項６】
前記制御部は、前記ディスクの保持が検出されない場合は、前記駆動ユニットに設けた光ヘッドからの情報をもとにフォーカス調整を行い、フォーカス合わせが実行できたときにはディスク有りと判断することを特徴とする請求項３記載の収納型ディスク装置。
【請求項７】
前記制御部は、前記フォーカス合わせが実行できないときは、ディスク無しと判断することを特徴とする請求項６記載の収納型ディスク装置。
【請求項８】
前記制御部は、前記ターゲットトレイにディスク無しと判断した場合は、ディスク装填の待機状態に移行することを特徴とする請求項１，５，７記載の収納型ディスク装置。
【請求項９】
前記制御部は、前記ターゲットトレイを選択したときに、前記ディスクの有無判断を所定回数実行し、ディスク無しの判断を行った場合は、前記複数のトレイを初期位置に戻し、前記ターゲットトレイを再選択することを特徴とする請求項１記載の収納型ディスク装置。
【請求項１０】
前記制御部は、前記複数のトレイでのディスクの有無情報を保管する記憶部を有し、前記ターゲットトレイの再選択結果をもとにディスクの有無情報を更新することを特徴とする請求項９記載の収納型ディスク装置。
【請求項１１】
ディスクを保持可能な複数のトレイを支持する軸を有し前記トレイを前記軸に沿ってディスク面と直交する方向に移動していずれか１つのトレイを選択位置に案内するエレベータ機構と、前記トレイに対向して前記軸に回動自在に配置した複数の保持部材を有し前記保持部材と前記トレイとの間で前記ディスクを保持するチャッキング機構と、前記選択位置にあるディスクを回転駆動するターンテーブルを有する駆動ユニットと、を備え、
前記複数のトレイの中からターゲットトレイを選択し希望するディスクを駆動する際に、前記ターゲットトレイにおけるディスクの有無を判断し、
前記ターゲットトレイにディスク有りと判断した場合に、前記ディスクの保持状態を解除し、前記ディスクを前記駆動ユニットによって回転駆動することを特徴とするディスク駆動方法。
【請求項１２】
前記ターゲットトレイの選択時に、前記チャッキング機構によるディスクの保持状態を検出し、ディスクが保持されている場合は、ディスク有りと判断することを特徴とする請求項１１記載のディスク駆動方法。
【請求項１３】
前記ターゲットトレイの選択時に、ディスクの保持が検出できない場合は、前記チャッキング機構により前記ディスクを保持状態にして前記ターンテーブルを回転させ、回転数が所定値以下の場合にはディスク有りと判断することを特徴とする請求項１１記載のディスク駆動方法。
【請求項１４】
前記ターンテーブルが空転した場合は、ディスク無しと判断することを特徴とする請求項１３記載のディスク駆動方法。
【請求項１５】
前記ターゲットトレイの選択時に、ディスクの保持が検出できない場合は、前記駆動ユニットに設けた光ヘッドからの情報をもとにフォーカス調整を行い、フォーカス合わせが実行できたときにはディスク有りと判断することを特徴とする請求項１１記載のディスク駆動方法。
【請求項１６】
前記フォーカス合わせが実行できないときは、ディスク無しと判断することを特徴とする請求項１５記載のディスク駆動方法。
【請求項１７】
前記ターゲットトレイにディスク無しと判断した場合は、ディスク装填の待機状態に移行することを特徴とする請求項１１，１４，１６記載のディスク駆動方法。
【請求項１８】
前記ターゲットトレイを選択したときに、前記ディスクの有無判断を所定回数実行し、ディスク無しの判断を行った場合は、前記複数のトレイを初期位置に戻し、前記ターゲットトレイを再選択することを特徴とする請求項１１記載のディスク駆動方法。
【請求項１９】
前記複数のトレイでのディスクの有無情報を保管する記憶部を有し、
前記ターゲットトレイの再選択結果をもとにディスクの有無情報を更新することを特徴とする請求項１８記載のディスク駆動方法。
【手続補正２】
【補正対象書類名】明細書
【補正対象項目名】０００８
【補正方法】変更
【補正の内容】
【０００８】
請求項１記載の本発明の収納型ディスク装置は、ディスクを保持するためにディスク面と直交する方向に積層配置した複数のトレイを含むディスク収納部と、前記複数のトレイを支持する軸を有し、前記トレイを前記ディスク面と直交する方向に移動していずれか１つのトレイを選択位置に案内するエレベータ機構と、前記トレイに対向して前記軸に回動自在に配置した複数の保持部材を有し、前記保持部材と前記トレイとの間で前記ディスクを保持するチャッキング機構と、前記ディスクをディスク挿入口と前記ディスク収納部の保持位置との間で移送する移送ユニットと、前記選択位置にあるディスクを回転駆動するターンテーブルを有する駆動ユニットと、前記複数のトレイの中からターゲットトレイを選択し希望するディスクを駆動する際に、前記ターゲットトレイにおけるディスクの有無を判断し、ディスク有りと判断した場合に前記ディスクの駆動を実行する制御部と、を具備することを特徴とする。
【手続補正３】
【補正対象書類名】明細書
【補正対象項目名】０００９
【補正方法】変更
【補正の内容】
【０００９】
請求項１１記載の本発明のディスク駆動方法は、ディスクを保持可能な複数のトレイを支持する軸を有し前記トレイを前記軸に沿ってディスク面と直交する方向に移動していずれか１つのトレイを選択位置に案内するエレベータ機構と、前記トレイに対向して前記軸に回動自在に配置した複数の保持部材を有し前記保持部材と前記トレイとの間で前記ディスクを保持するチャッキング機構と、前記選択位置にあるディスクを回転駆動するターンテーブルを有する駆動ユニットと、を備え、前記複数のトレイの中からターゲットトレイを選択し希望するディスクを駆動する際に、前記ターゲットトレイにおけるディスクの有無を判断し、前記ターゲットトレイにディスク有りと判断した場合に、前記ディスクの保持状態を解除し、前記ディスクを前記駆動ユニットによって回転駆動することを特徴とする。